(57)【要約】【課題】塵埃を捕集する集塵手段を有する電気掃除機の品質の安定および使用性の向上を実現することを目的とする。【解決手段】吸引風を発する電動送風機１４と、塵埃を捕集する集塵手段１２と、前記集塵手段１２を収納する集塵室１３とを備え、前記集塵室１３内に前記集塵手段１２の膨らみを略上方向から所定以内に押さえる押さえ部材２６を設けたもので、集塵手段１２が上方向に所定以内しか膨らまないことで、集塵手段１２が上方向に破れてしまうのを防止することができる。【選択図】  図１
2004174046.tif 000002
【特許請求の範囲】
【請求項１】
吸引風を発する電動送風機と、塵埃を捕集する集塵手段と、前記集塵手段を収納する集塵室とを備え、前記集塵室内に前記集塵手段の膨らみを略上方向から所定以内に押さえる押さえ部材を設けた電気掃除機。
【請求項２】
押さえ部材の集塵手段側の形状は、集塵手段が膨らんだ後に、前記押さえ部材に接した状態の形状にほぼ沿わせて形成されてなる請求項１記載の電気掃除機。
【請求項３】
押さえ部材は通気性を有する請求項１または２記載の電気掃除機。
【請求項４】
集塵室を覆う集塵蓋を備え、前記押さえ部材と前記集塵蓋の間に空間を有する請求項１〜３のいずれか１項に記載の電気掃除機。
【請求項５】
押さえ部材は集塵蓋と着脱自在に配設されてなる請求項４記載の電気掃除機。
【請求項６】
吸引風を発する電動送風機と、塵埃を捕集する集塵手段と、前記集塵手段を収納する集塵室と、前記集塵手段を装着し前記集塵室に着脱自在に配設された装着部とを備え、前記装着部の集塵手段側の形状は、集塵手段が膨らんだ後に、前記装着部に接した状態の形状にぼぼ沿わせて形成されてなる電気掃除機。
【請求項７】
装着部は把手部を有する請求項６記載の電気掃除機。
【請求項８】
把手部は集塵手段の上方側に倒立するよう付勢手段により付勢されるとともに、回動自在に構成された請求項７記載の電気掃除機。
【請求項９】
吸引風を発する電動送風機と、塵埃を捕集する集塵手段と、前記集塵手段を収納する集塵室と、前記集塵室内に前記集塵手段の膨らみを略上方向から所定以内に押さえる押さえ部材と、前記集塵手段を装着し前記集塵室に着脱自在に配設された装着部とを備え、前記押さえ部材と前記装着部にて前記集塵手段を包囲する電気掃除機。
【請求項１０】
押さえ部材と装着部とは一定の距離を保ち、集塵手段を包囲する請求項９記載の電気掃除機。
【請求項１１】
集塵手段の内部に付着した塵埃を、除塵する除塵手段を設けた請求項１〜１０のいずれか１項に記載の電気掃除機。
【発明の詳細な説明】
【０００１】
【発明の属する技術分野】
本発明は、塵埃を捕集する集塵手段を有する電気掃除機に関するものである。
【０００２】
【従来の技術】
従来の電気掃除機を、図９を用いて説明する。
【０００３】
従来の電気掃除機にあっては、掃除機本体５は、塵埃を捕集する集塵袋７を収納した集塵室１と吸引風を発する電動送風機２を内蔵した電動送風機室３とを有している。また、前記集塵室１後方に回動自在に軸支されて前記集塵室１の上面を開閉自在に覆う集塵蓋６と、前記集塵袋７を装着し前記集塵室１に着脱自在に配設されるバスケット８とを備え、バスケット８の後方上部に回動自在に軸支されたハンドル９とを備えている（例えば、特許文献１参照。）。
【０００４】
【特許文献１】
特開２０００−１０２５００号公報
【０００５】
【発明が解決しようとする課題】
しかしながら上記従来の構成では、集塵袋７は紙等の材質で構成されている場合が一般であり、集塵袋７の破裂を防止するために、バスケット８に集塵袋７を装着し、膨らみを抑えているが、上方が開口しているため、集塵袋７は上方向に膨らみ、破れてしまうという問題があった。
【０００６】
また、バスケット８の外郭形状が集塵室１の内面形状に沿った形状をしており、吸引風により膨らんだ集塵袋７が、バスケット８内面に密着し、集塵袋７を通過した吸気風４４が電動送風機２へ流れるまでの空間が少なくなるため、集塵袋７内部に溜まった細塵等の塵埃が集塵袋７に目詰りしてくると、吸引力が低下してくるという問題があった。
【０００７】
本発明は、上記従来の課題を解決するもので、塵埃を捕集する集塵手段を有する電気掃除機の品質の安定および使用性の向上を実現することを目的とする。
【０００８】
【課題を解決するための手段】
上記目的を達成するために本発明は、吸引風を発する電動送風機と、塵埃を捕集する集塵手段と、前記集塵手段を収納する集塵室とを備え、前記集塵室内に前記集塵手段の膨らみを略上方向から所定以内に押さえる押さえ部材を設けたもので、集塵手段が上方向に所定以内しか膨らまないことで、集塵手段が上方向に破れてしまうのを防止することができる。
【０００９】
【発明の実施の形態】
本発明の請求項１記載の発明は、吸引風を発する電動送風機と、塵埃を捕集する集塵手段と、前記集塵手段を収納する集塵室とを備え、前記集塵室内に前記集塵手段の膨らみを略上方向から所定以内に押さえる押さえ部材を設けたもので、集塵手段が上方向に所定以内しか膨らまないことで、集塵手段が上方向に破れてしまうのを防止することができる。
【００１０】
本発明の請求項２記載の発明は、押さえ部材の集塵手段側の形状は、集塵手段が膨らんだ後に、前記押さえ部材に接した状態の形状にほぼ沿わせて形成されてなるもので、集塵手段を集塵容量限界近くまで使用することができ、効率的に塵埃を捕集することができる。
【００１１】
本発明の請求項３記載の発明は、押さえ部材は通気性を有するもので、膨らみきった集塵手段が押さえ部材の内面に密着しても、前記集塵手段を通過した後の吸気風が通気性を有する押さえ部材を通過することで、吸引力の維持ができる。
【００１２】
本発明の請求項４記載の発明は、集塵室を覆う集塵蓋を備え、前記押さえ部材と前記集塵蓋の間に空間を有するもので、膨らみきった集塵手段が押さえ部材の内面に密着しても、前記集塵手段を通過した後の吸気風が前記押さえ部材と前記集塵蓋の間に空間を通過することで、吸引力の維持ができる。
【００１３】
本発明の請求項５記載の発明は、押さえ部材は集塵蓋と着脱自在に配設されてなるもので、容易に集塵蓋から押さえ部材を取り外せることで、集塵蓋の内面の汚れを取り除くことができる。
【００１４】
本発明の請求項６記載の発明は、吸引風を発する電動送風機と、塵埃を捕集する集塵手段と、前記集塵手段を収納する集塵室と、前記集塵手段を装着し前記集塵室に着脱自在に配設された装着部とを備え、前記装着部の集塵手段側の形状は、集塵手段が膨らんだ後に、前記装着部に接した状態の形状にほぼ沿わせて形成されてなるもので、集塵手段を集塵容量限界近くまで使用することができ、効率的に塵埃を捕集することができる。また、集塵手段の使用性を向上できる。
【００１５】
本発明の請求項７記載の発明は、装着部は把手部を有するもので、装着部の着脱性を向上させることができるのである。
【００１６】
本発明の請求項８記載の発明は、把手部は集塵手段の上方側に倒立するよう付勢手段により付勢されるとともに、回動自在に構成されたもので、集塵室内部から装着部を取り外す際に、装着部に設けた把手部を倒立させる動作の必要が無く、また、集塵室に装着部を装着する際には、把手部が付勢手段により倒立しており、集塵蓋と干渉することなく、容易に装着部の着脱動作が行える。
【００１７】
本発明の請求項９記載の発明は、吸引風を発する電動送風機と、塵埃を捕集する集塵手段と、前記集塵手段を収納する集塵室と、前記集塵室内に前記集塵手段の膨らみを略上方向から所定以内に押さえる押さえ部材と、前記集塵手段を装着し前記集塵室に着脱自在に配設された装着部とを備え、前記押さえ部材と前記装着部にて前記集塵手段を包囲するもので、集塵手段が上方向に所定以内しか膨らまないことで、吸引風の気流音が上方向に透過して、使用者に不快感を与えることを防止できるとともに、集塵手段の使用性を向上できる。
【００１８】
本発明の請求項１０記載の発明は、押さえ部材と装着部とは一定の距離を保ち、集塵手段を包囲するもので、使用者が集塵手段に塵埃が満杯近く溜まっている状態において、塵埃捕集量確認のため、途中で集塵手段を取り外し、確認後、再度押さえ部材と装着部の間に集塵手段を装着しても、押さえ部材と装着部に集塵手段が挟まれることなく、前記集塵手段の損傷を防止できる。
【００１９】
本発明の請求項１１記載の発明は、集塵手段の内部に付着した塵埃を、除塵する除塵手段を設けたもので、集塵手段の内部に溜まった細塵等の塵埃が、集塵手段の内部に目詰りしてきても、除塵手段により除塵することで、さらに吸引力を長時間維持できる。
【００２０】
【実施例】
以下、本発明の一実施例を、図１〜図８を用いて説明する。
【００２１】
図１において、掃除機本体１０は、外郭を形成する上方開口した下カバー１１の前方に塵埃を捕集する紙袋１２ｂを収納する集塵室１３と、後方には吸引風を発生する電動送風機１４を収納する電動送風機室１５を設けており、電動送風機室１５の上方を上カバー１６によって覆い、電動送風機１４はクッション１７を介して下カバー１１と上カバー１６とで狭持している。集塵室１３の上方は、上カバー１６に軸支して開閉自在に回動する集塵蓋１８によって覆っており、また、集塵室１３と電動送風機室１５を区画する仕切壁１９を設けており、この仕切壁同士の間にパッキン４２を介して空気のタイトを行い気密性を確保している。仕切壁１９には連通口２０を設けており、集塵室１３と電動送風機室１５とは吸引風が流れるように構成してある。
【００２２】
集塵室１３の前方には前壁２１が形成され、そこには、逆止弁２２が保持されている。その逆止弁２２に密着して紙袋１２ｂは保持されている。また、前記紙袋１２ｂは、装着部であるバスケット２３に装着され、前記装着部であるバスケット２３は、紙袋１２ｂを装着したままで、上下方向へ着脱可能に集塵室１３に収納されている。集塵手段１２は、硬質材で形成した固定部１２ａと軟質材で通風性を有し、袋状に形成した紙袋１２ｂにより構成されている。
【００２３】
次に、集塵手段１２の装着部であるバスケット２３について説明する。図２〜図４において、前記バスケット２３の側面から上方開口部を覆うように、ハンドル２４が軸回動可能に固定されており、前記ハンドル２４の軸２４ａとバスケット２３の間に設けられたバネ２５の付勢力により、ハンドル２４がバスケットの上方開口部を覆うように倒立している。
【００２４】
次に、紙袋１２ｂが膨らんだとき、前記紙袋１２ｂの膨らみを略上方向から所定以内に押さえる押さえ部材である袋押さえ部材２６について説明する。図５において、集塵蓋１８内面に着脱可能に前記集塵蓋１８とは別部材である袋押さえ部材２６が固定されており、袋押さえ部材２６表面には通気部である通気穴２６ａが設けられている。尚、前記袋押さえ部材２６の固定方法については、爪嵌合またはねじによる固定でも良い。前記集塵蓋１８内面と袋押さえ部材２６との間には、電動送風機１４からの吸気風４４の流路である通路２７が設けられている。
【００２５】
次に、除塵装置２８について説明する。図６〜図８において、前記連通口２０の前方でかつ、下カバー１１で形成された集塵室１３の底面を境に、反対側の下カバー１１内に除塵装置２８が収納されている。また、紙袋１２ｂ外面に臨んで、振動動作を与えるための振動板２９が着脱自在に除塵装置２８に取り付けられている。
【００２６】
除塵装置２８は、集塵室１３下方の下カバー１１下部内に格納され蓋カバー３０で固定されており、除塵装置２８の本体ケース３１からは、可動板３２より立設した中空円柱状のアーム３３が集塵室１３内へ突出しており、このアーム３３に格子形状をなす振動板２９の下部にある突起３４が挿入嵌合されている。振動板２９は、仕切壁１９の連通口２０に面する集塵手段１２の外面に臨んだ位置に配設しているため、集塵手段１２を通過して連通口２０から吸引される吸引風を遮らないように通気部を形成するため格子形状となっている。また、アーム３３はリング状のゴム製ブッシング３４を介して本体ケース３１に固定されている。
【００２７】
本体ケース３１内には、電磁石３５と電磁石３６の吸引作用面と対向して平行に配置された磁石３７を先端部に固着した可動板３２が内蔵されており、可動板３２の磁石３７と反対側の一端はゴム製のスリーブ３８を介してネジ３９により、可動板３２が回動自在となるように本体ケース３１に固定されている。振動制御回路によりスイッチがＯＮされ電磁石３５にＡＣ１００Ｖ電源が通電されると、電磁石３６に生じた磁界により先端部に磁石３７を固着した可動板３２はネジ３８で固定した一端を支点として、アーム３３がゴム製ブッシング３４を前後に撓ませながら矢印４０、４１方向へＡＣ１００Ｖ電源の電源周波数（５０Ｈｚまたは６０Ｈｚ）に応じた周期で振動する。その振動はアーム３３を介して振動板２９に伝えられ、振動板２９も同様に矢印４０、４１方向へ振動し、紙袋１２ｂの外面を振動させ除塵を行うものである。
【００２８】
上記構成による作用は以下の通りである。
【００２９】
図１〜図５より、集塵蓋１８内側に設けた袋押さえ部材２６の紙袋１２ｂ側の形状を、紙袋１２ｂがほぼ膨らみきった形状にほぼ沿わせて形成することで、紙袋１２ｂのそれ以上の膨らみを押さえる構成としたので、紙袋１２ｂの持つ集塵容量を完全に使うことができ、紙袋１２ｂ内部の容量を十分に利用でき、塵埃を効率的に捕集させることができる。
【００３０】
また、膨らみきった紙袋１２ｂが袋押さえ部材２６内面に密着しても、紙袋１２ｂを通過した後の吸気風４４が、袋押さえ部材２６の通気穴２６ａを通過することで、電動送風機１４へ吸気風４４が流れ易くなり、吸引力の維持が行え、さらには、前記袋押さえ部材２６と集塵蓋１８の間に通気用の空間２７を設けた構成としたので、膨らみきった紙袋が袋押さえ部材２６内面に密着しても、集塵手段１２を通過した吸気風４４が袋押さえ部材２６の通気穴２６ａを通過し、さらに、前記袋押さえ部材２６と集塵蓋１８の間に設けた吸気風４４の流路用の空間２７を通り、電動送風機１４へ流れるまでの流路が十分確保できるため、紙袋１２ｂの内部に溜まった細塵等の塵埃が集塵手段１２に目詰りしても、吸引力を長時間維持できるのである。
【００３１】
また、集塵蓋１８内側に設けた袋押さえ部材２６を集塵蓋１８と着脱自在にした構成としたので、塵埃で満杯状態の紙袋１２ｂを掃除機本体１０から取り外す際、紙袋１４から集塵室１３に落ちた塵埃を、使用者が気づかずに新しい紙袋１２ｂを掃除機本体１０に装着して運転を始めると、集塵室１３に落ちた塵埃が集塵室１３内に舞い上がり、集塵蓋１８内面を汚してしまったとしても、容易に集塵蓋１８から袋押さえ部材２６を取り外し、集塵蓋１８内面の汚れを取り除くことができるのである。
【００３２】
次に、集塵室１３内部に紙袋１４を装着するためのバスケット２３が着脱自在に設けられ、前記バスケット２３の紙袋１２ｂ側の形状を、紙袋１２ｂがほぼ膨らみきった形状に沿わせて形成し、そして紙袋１２ｂがそれ以上膨らむのを押さえる構成としたので、膨らみきった紙袋１２ｂがバスケット２３内面に密着しても、紙袋１２ｂ側の持つ集塵容量を完全に使用することができ、塵埃を効率的に捕集することができる。また、バスケット２３に紙袋１２ｂがほぼ膨らみきった形状の一部に沿わせた形状に形成した把手部であるハンドル２４を設けた構成としたので、膨らみきった集塵手段１２がバスケット２３とハンドル２４内面に密着しても、集塵手段１２の持つ集塵容量を完全に使うことができ、集塵手段１２内部の塵埃量を効率的に捕集させることができるとともに、バスケット２３の着脱性を向上させることができるのである。
【００３３】
さらに、バスケット２３に設けたハンドル２４は、紙袋１２ｂの上方側に倒立するようバネ２５により付勢され、回動自在な構成としたので、集塵室１３内部からバスケット２３を取り外す際に、バスケット２３に設けたハンドル２４を倒立させる動作も必要無く、また、集塵室１３に装着する際にはハンドル２４がバネ２５により倒立しており、集塵蓋１８と干渉すること無く容易にバスケット２３の着脱動作が行えるのである。
【００３４】
次に、集塵室１３内部に紙袋１２ｂがほぼ膨らみきった形状に沿わせて形成するとともに集塵蓋１８内側に設けた袋押さえ部材２６と、バスケット２３を両方設けた構成としたので、紙袋１２ｂが有する集塵容量を完全に使用することができ、塵埃を効率的に捕集させることができる。また、紙袋１２ｂの内部に溜まった細塵等の塵埃が、紙袋１２ｂに目詰りしてきても、吸引力を長時間維持できる。さらには、バスケット２３の着脱性を向上させることができるのである。
【００３５】
また、集塵室１３を覆う集塵蓋１８を閉じた状態において、集塵蓋１８内側に設けた袋押さえ部材２６の外周端面部と、紙袋１２ｂを装着するためのバスケット２３外周端面部との間に、紙袋１２ｂが挟み込まれないための空間４３（一定の距離）を設けた構成としたので、使用者が紙袋１２ｂに塵埃が満杯近く溜まっている状態において、塵埃捕集量確認のため、途中で集塵蓋１８を開けた後、再度集塵蓋１８を閉めて掃除機本体１０を運転されたとしても、集塵蓋１８や袋押さえ部材２５あるいはバスケット２３に紙袋１２ｂが挟まれる事無く損傷を防止できるのである。
【００３６】
次に、除塵手段について説明する。
【００３７】
図６〜図８において、前記紙袋１２ｂの内面に付着した塵埃を除塵する除塵装置２８を有した構成とすることにより、前記紙袋１２ｂに付着し堆積した塵埃をはたき落とすことが可能となる。その結果、吸引風の低下を減少させ吸引効率を良化させることができるものとなる。また、除塵装置２８を集塵室１３内部に設けたことにより、除塵装置２８の構成として複数の部品による動作の連動が不用となり、且つ直接紙袋１２ｂへの除塵動作を与えることが可能となるため、構成の簡素化、部品数の削減並びに関係部品の低減による規制緩和で前記除塵手段の構成の多様化が実現できるものとなる。
【００３８】
また、集塵室１３内部の連通口２０近傍に振動板２９を配設し、紙袋１２ｂに除塵装置２８が動作を加える構成としたことで、最も吸引風が通過し塵埃の付着が多く、主として塵埃が付着し堆積した部分を直接動作させることになるので効率的な効果が得られるものとなる。また、集塵室１３の内部に設けた紙袋１２ｂを軟質材で形成したことにより、除塵装置２８による動作が軟質材で形成した紙袋１２ｂのみの動きで緩和され、硬質材で形成した固定部１２ａまでは前記動作が伝わらないものとなる。その結果、仕切壁２３と固定部１２ａとの密着部への動きの連動が無くなり、タイト性の向上が実現し、ゴミ漏れ等の課題が解消されるものとなる。
【００３９】
また、除塵装置２８の振動板２９を、通気性を有するものとしたことにより、袋押さえ部材２６とバスケット２３の作用効果と合わせた、さらなる吸引力の長時間維持が行えるのである。
【００４０】
【発明の効果】
以上のように本発明によれば、塵埃を捕集する集塵手段を有する電気掃除機の品質の安定および使用性の向上を実現できる。
【図面の簡単な説明】
【図１】本発明の一実施例を示す掃除機本体の側断面図
【図２】同バスケットの正面図
【図３】同バスケットの側面図
【図４】同掃除機本体の斜視図
【図５】同掃除機本体の他の斜視図
【図６】同掃除機本体の要部斜視図
【図７】同除塵装置の分解斜視図
【図８】同除塵装置の平面図
【図９】従来の掃除機本体の側断面図
【符号の説明】
１０  掃除機本体
１２  集塵手段
１３  集塵室
１４  電動送風機
１５  電動送風機室
１８  集塵蓋
２３  バスケット（装着部）
２４  ハンドル（把手部）
２６  袋押さえ部材
２７  通路
２８  除塵装置
２９  振動板
【図１】
2004174046.tif 000003
【図２】
2004174046.tif 000004
【図３】
2004174046.tif 000005
【図４】
2004174046.tif 000006
【図５】
2004174046.tif 000007
【図６】
2004174046.tif 000008
【図７】
2004174046.tif 000009
【図８】
2004174046.tif 000010
【図９】
2004174046.tif 000011